(57)【要約】      （修正有）【課題】ＯＲＰ数値化判定装置および使用方法を提供する。【解決手段】酸化還元電位測定装置は、検体液である人間の唾液採取の綿棒、又は各種水溶液を含浸させた綿棒を参照電極と指示電極に介在させることで、溶液中の電解質の濃度や酸化体・還元体のイオン濃度比など酸化還元電位を測定する構成としている。【選択図】図１
2019023597.tif 000002
【特許請求の範囲】
【請求項１】
基準電極、銀―塩化銀電極の内部液を保持し、
格納する内部液槽の蓋となる、下面部に細溝が設けられ、
前記参照電極である銀―塩化銀電極と測定対象試料を含浸させた綿棒と接する液絡部、
前記測定対象試料が接触する指示電極の三者間が、
内部液を保持する液絡部と細溝で電子導通され、
参照電極と指示電極が接続される酸化還元電位差計を備えており、
測定中に、前記指示電極が直接、空気に触れずに、
前記内部液槽の蓋となる、下面部に細溝が連通する、
試料槽部に測定対象試料を差し込むことで、
測定対象試料の酸化還元電位（ｍＶ）の測定値を、
比較検証することを特徴とするＯＲＰ数値化判定測定装置。
【請求項２】
同一検体者の耳下腺左右である局所唾液成分のＯＲＰ値（ｍＶ）の測定と、
同じく小唾液腺および局所唾液成分が混在している、
口腔内の舌の上に綿棒を乗せ採取した総合唾液成分の３か所の、
ヒト唾液の酸化還元電位（ＯＲＰ）値（ｍＶ）との値差を比較するのであり、
前記内部液槽の蓋となる、下面部に細溝が連通され、
前記ORP数値化判定装置に複数、又は単独で設けられた試料槽部に、
測定対象試料を差し込むことで、
測定対象試料とする麻薬などの薬物を摂取したことによる、
唾液ＯＲＰ値（ｍＶ）が酸化有意の強い酸化のストレス状態であるか、
又は薬物を摂取などの無い、還元有意で酸化のストレスが、
無い状態であるか否かを、見極めるスクリーニング活用ができるようにし、
測定対象試料の酸化還元電位（ｍＶ）の測定値を、
比較検証することを特徴とするORP数値化判定測定装置。
【請求項３】
同一検体者の耳下腺左右である局所唾液成分のＯＲＰ値（ｍＶ）の測定と、
同じく小唾液腺および局所唾液成分が混在している、
口腔内の舌の上に綿棒を乗せ採取した総合唾液成分の
ヒト唾液の酸化還元電位（ＯＲＰ）値（ｍＶ）との値差を比較するのであり、
前記内部液槽の蓋となる、下面部に細溝が連通され、
前記ORP数値化判定装置に複数、又は単独で設けられた試料槽部に、
測定対象試料を差し込むことで、
測定対象試料とする麻薬などの薬物を摂取したことによる、
前記耳下腺左右唾液の酸化還元電位（ＯＲＰ）値（ｍＶ）が、
プラス１ｍＶ以上からプラス７０ｍＶ方向の範囲において、
酸化有意の弱い酸化のストレス状態であるか、
又は前記耳下腺左右唾液の酸化還元電位（ＯＲＰ）値（ｍＶ）が、
プラス７１ｍＶ以上からプラス２５０ｍＶ方向の範囲において、
酸化有意の強い酸化のストレス状態であるか否かを、
見極めるスクリーニング活用ができるようにし、
請求項１又は２に記載のORP数値化判定装置で
測定値を比較検証することを特徴とする使用方法。
【請求項４】
同一検体者の耳下腺左右である局所唾液成分のＯＲＰ値（ｍＶ）の測定と、
同じく小唾液腺および局所唾液成分が混在している、
口腔内の舌の上に綿棒を乗せ採取した総合唾液成分の
ヒト唾液の酸化還元電位（ＯＲＰ）値（ｍＶ）との値差を比較するのであり、
前記内部液槽の蓋となる、下面部に細溝が連通され、
前記ORP数値化判定装置に複数、又は単独で設けられた試料槽部に、
測定対象試料を差し込むことで、
測定対象試料とする麻薬などの薬物を摂取したことによる、
前記舌の上で採取した総合唾液の酸化還元電位（ＯＲＰ）値（ｍＶ）が、
プラス４１ｍＶ以上からプラス１１０ｍＶ方向の範囲において、
酸化有意の弱い酸化のストレス状態であるか、
又は前記舌の上で採取した総合唾液の酸化還元電位（ＯＲＰ）値（ｍＶ）が、
プラス１１１ｍＶ以上からプラス２５０ｍＶ方向の範囲において、
酸化有意の強い酸化のストレス状態であるか否かを、
見極めるスクリーニング活用ができるようにし、
請求項１又は２に記載のORP数値化判定装置で
測定値を比較検証することを特徴とする使用方法。
【請求項５】
同一検体者の耳下腺左右である局所唾液成分のＯＲＰ値（ｍＶ）の測定と、
同じく小唾液腺および局所唾液成分が混在している、
口腔内の舌の上に綿棒を乗せ採取した総合唾液成分の
ヒト唾液の酸化還元電位（ＯＲＰ）値（ｍＶ）との値差を比較するのであり、
前記内部液槽の蓋となる、下面部に細溝が連通され、
前記ORP数値化判定装置に複数、又は単独で設けられた試料槽部に、
測定対象試料を差し込むことで、
測定対象試料とする麻薬などの薬物を摂取したことによる、
前記耳下腺左右唾液の酸化還元電位（ＯＲＰ）値（ｍＶ）が、
プラスマイナス０ｍＶ以下からマイナス３０ｍＶ方向の範囲において、
還元有意の酸化のストレスが極めて弱い状態であるか、
又は前記耳下腺左右唾液の酸化還元電位（ＯＲＰ）値（ｍＶ）が、
マイナス３１ｍＶ以下からマイナス２５０ｍＶ方向の範囲において、
還元有意の酸化のストレスが無い状態であるか否かを、
見極めるスクリーニング活用ができるようにし、
請求項１、２又は３に記載のORP数値化判定装置で
測定値を比較検証することを特徴とする使用方法。
【請求項６】
同一検体者の耳下腺左右である局所唾液成分のＯＲＰ値（ｍＶ）の測定と、
同じく小唾液腺および局所唾液成分が混在している、
口腔内の舌の上に綿棒を乗せ採取した総合唾液成分の
ヒト唾液の酸化還元電位（ＯＲＰ）値（ｍＶ）との値差を比較するのであり、
前記内部液槽の蓋となる、下面部に細溝が連通され、
前記ORP数値化判定装置に複数、又は単独で設けられた試料槽部に、
測定対象試料を差し込むことで、
測定対象試料とする麻薬などの薬物を摂取したことによる、
前記舌の上で採取した総合唾液の酸化還元電位（ＯＲＰ）値（ｍＶ）が、
プラス４０ｍＶ以下からマイナス１０ｍＶ方向の範囲において、
還元有意の酸化のストレスが極めて弱い状態であるか
又は前記舌の上で採取した総合唾液の酸化還元電位（ＯＲＰ）値（ｍＶ）が、
マイナス１１ｍＶ以下からマイナス２５０ｍＶ方向の範囲において、
還元有意の酸化のストレスが無い状態であるか否かを、
見極めるスクリーニング活用ができるようにし、
請求項１、２又は４に記載のORP数値化判定装置で、
測定値を比較検証することを特徴とする使用方法。
【請求項７】
前記基準電極、銀―塩化銀電極の内部液を保持し、
格納する内部液槽の蓋となる、下面部に細溝が設けられ、
前記参照電極である銀―塩化銀電極と測定対象試料を含浸させた綿棒と接する液絡部、
前記測定対象試料が接触する指示電極の三者間が、
内部液を保持する液絡部と細溝で電子導通され、
前記ORP数値化判定装置に複数、又は単独で設けられた試料槽部に、
校正標準溶液とするＫＣl １mol溶液を測定対象試料として差し込むことで、
酸化還元電位測定装置の電極の校正及び性能チェックに活用できるようにし、
請求項１又は２に記載のORP数値化判定装置で、
測定値の再現精度を比較検証することを特徴とする使用方法。
【請求項８】
前記基準電極、銀―塩化銀電極の内部液を保持し、
格納する内部液槽の蓋となる、下面部に細溝が設けられ、
前記参照電極である銀―塩化銀電極と測定対象試料を含浸させた綿棒と接する液絡部、
前記測定対象試料が接触する指示電極の三者間が、
内部液を保持する液絡部と細溝で電子導通され、
前記ORP数値化判定装置に複数、又は単独で設けられた試料槽部に、
校正標準溶液とするＫＣl １mol溶液を測定対象試料として差し込むことで、
酸化還元電位測定装置の測定動作の校正及び性能チェックに活用できるようにし、
請求項１又は２に記載のORP数値化判定装置で、
測定値の再現精度を比較検証することを特徴とする使用方法。
【請求項９】
測定対象試料とする綿棒に精製水（純水）を含浸させたＯＲＰ値（ｍＶ）の測定と、
同じく綿棒に精製水（純水）を含浸させ、測定場所の空気を所定時間
触れさせた状態での測定対象試料とした、
酸化還元電位（ＯＲＰ）値（ｍＶ）との測定値差および経時変化の値差を
同時に測定し、比較するのであり、
前記内部液槽の蓋となる、下面部に細溝が連通され、
前記ORP数値化判定装置に複数、又は単独で設けられた試料槽部に、
前記測定対象試料を、それぞれ差し込むことで、
請求項１に記載の数値化判定装置で、
複数同時、又は単独で測定値を比較検証することを特徴とする使用方法。
【請求項１０】
測定対象試料とする綿棒に精製水（純水）を含浸させたＯＲＰ値（ｍＶ）の測定と、
同じく綿棒に精製水（純水）を含浸させ、測定場所の土壌を所定時間
触れさせた状態での測定対象試料とした、
酸化還元電位（ＯＲＰ）値（ｍＶ）との測定値差および経時変化の値差を
同時に測定し、比較するのであり、
前記内部液槽の蓋となる、下面部に細溝が連通され、
酸化還元電位測定装置に複数で設けられた試料槽部に、
前記測定対象試料を、それぞれ差し込むことで、
請求項１に記載の数値化判定装置で、
複数同時、又は単独で測定値を比較検証することを特徴とする使用方法。
【発明の詳細な説明】
【技術分野】
【０００１】
本発明はＯＲＰ数値化判定装置および使用方法にかんする。
【背景技術】
【０００２】
酸化還元電位測定装置は指示電極と参照電極を備え、指示電極と参照電極を試料溶液中に挿入し、溶液中の電解質の濃度や酸化体・還元体のイオン濃度比など酸化還元電位を測定する。従来、酸化還元電位の測定は主に排水やプラント水の水質検査など多量の溶液を対象とする一方、試料溶液が少量で、緩衝能力が低い場合、測定の再現精度が不安定で正確性にかけるという欠点があった。液絡部を通して試料溶液中に流出する参照電極（銀−塩化銀）側の内部液が試料溶液と接触することによって酸化還元電位が測定されるのであるが、指示電極とする白金電極との距離が近いことにより検体液以外の参照電極（銀−塩化銀）側の内部液が試料槽部に装填される指示電極に接触してしまうことで緩衝能力の低い試料溶液（唾液などの生体液等）のような場合、参照電極の内部液の流出がわずかであっても検体溶液に対する影響が大きく、指示電極に直接接触した場合は、検体溶液の測定ではなく、内部溶液に影響された測定となり正確な酸化還元電位測定ができないからである。
【先行技術文献】
【特許文献】
【０００３】
特許文献１は、測定電極及び比較電極を被検液に浸漬して被検液の酸化還元電位を測定する酸化還元電位測定装置の電極を検査する方法、及びその検査に使用する標準液に関するものを提供しているものである。
【０００４】
特許文献２は、過硫酸塩を活性炭により還元処理する過硫酸塩処理装置、過硫酸塩処理方法の技術に関するものである。
【０００５】
特許文献３及び特許文献４とも本出願人の発明による人間の生体液である唾液の酸化還元電位を測定する装置について提供している。
【０００６】
【特許文献１】特許第5157880号公報
【特許文献２】特許第5980652号公報
【特許文献３】特許第4154884号公報
【特許文献４】特許第4650771号公報
【発明の概要】
【発明が解決しようとする課題】
【０００７】
本発明は、特許文献３及び特許文献４で示す通り、酸化還元電位測定装置は指示電極と参照電極を備え、指示電極と参照電極を試料溶液中に挿入し、溶液中の電解質の濃度や酸化体・還元体のイオン濃度比など酸化還元電位を測定する人間の唾液の酸化還元電位測定装置であるが、検体液を含浸させた綿棒を接触させる試料槽部に新しい検体液の測定ごとに綿棒に添えて丸棒形状の指示電極を装填することで酸化還元電位を測定するのであるが、測定装置本体の外付け装着の白金電極においては、測定装置使用者の取り扱いが粗雑な場合は、丸棒形状の白金電極を折り曲げ微細な傷をつける問題が生じることになり、それにより、測定精度の大きな値差が生じるのである。
【０００８】
従来においては、ORP電極の性能チェックに用いる校正標準溶液においては、酸化体と還元体が共存しない、溶存酸素（DO）、すなわち水質に含む酸素の量が極めて少ないキンシドロン液など、空気に触れても酸化側にも還元側にも傾かない比較的安定しているとしてキンシドロン溶液を用いてORP電極の性能チェックを行うための標準溶液が使用されている。
【０００９】
当発明のORP数値化判定装置および使用方法においては、測定対象試料に酸化体と還元体が混在している試料液であり、この酸化体と還元体の電子授受の電位差を計測するのであり、酸化体と還元体が共存しない、すなわち、溶存酸素（DO）が存在しない溶液を用いてORP電極の性能チェックでは、本発明のORP数値化判定装置および使用方法の校正標準溶液の要件を果たせないと考える。
【課題を解決するための手段】
【００１０】
この課題を解決するため本発明にかかる酸化還元電位測定装置は、検体液である人間の唾液採取の綿棒、又は各種水溶液を含浸させた綿棒を参照電極と指示電極に介在させることで、溶液中の電解質の濃度や酸化体・還元体のイオン濃度比など酸化還元電位を測定する構成としている。
【００１１】
図１で示す通り、基準電極、銀―塩化銀電極KCｌ  １mo（KCl 内部液濃度は限定されない）が接触する液絡部と試料槽部の底に内蔵された指示電極の三者間が常に一定の距離を設けられ、測定中に指示電極が溶液含浸綿棒に覆われることで空気に触れて起こる酸化還元の緩衝を受けずに、測定対象試料とする溶液含浸のみの酸化還元電位ORP値（ｍV）が安定して電子授受交換ができるように構成されている。
【００１２】
つぎに、図2で示す通り、基準電極、銀―塩化銀電極KCｌ  １mol（KCl 内部液濃度は限定されない）を格納する１５  内部液を格納する液槽の上部蓋となるうえ下面部に細溝を設け、基準電極と指示電極である両電極の電子導通をKCｌ１molの溶液を介して連通させるようにしたことにより、指示電極は空気に触れて酸化影響を受けることなくKCl溶液を通してプラスマイナスの電子導通が加速されることの証としての表1、表2のデータによって後述する。
【００１３】
なぜなら、浴槽の天井の水滴の動きは天井平面より、天井側に溝を掘ってある箇所ほど早い速度で流れることに注目し、肉眼では目視できない電子の流れも引力に引き付けられる状態でありながら、より移動速度は高まり電子授受が安定し、酸化還元電位測定の再現精度を高められと考察したのである。
【００１４】
上記目的を達成するために、本発明は（請求項１の構成要件）とで、本発明の溶液中の電解質の濃度や酸化体・還元体のイオン濃度比など酸化還元電位を測定する構成であり、前記浴槽の天井の水滴の動きは天井平面より、天井側に溝を掘ってある箇所ほど早い速度で流れることに注目し、肉眼では目視できない電子の流れも引力に引き付けられる状態でありながら、より移動速度は高まり電子授受が安定し、酸化還元電位測定の再現精度を高められることを突き止め、表１に示す通り、本発明のORP数値化判定装置および使用方法の校正標準溶液の要件を果たせるようにしたのである。
【発明の効果】
【００１５】
以上の説明から明らかなように、本発明にあっては次に列挙する効果が得られる。
（１）（請求項１の構成要件）とで構成されているので、人間の唾液の酸化還元電位（ＯＲＰ）測定手段を用いて、本発明の有効性を証明するために、本発明者が取得している特許をもとに開発した厚生労働省から医療機器として認証されている人間の唾液ＯＲＰ測定装置と本発明のORP数値化判定装置および使用方法により、本発明で用いる校正標準溶液とする溶液は、KCｌ  １mol溶液により測定精度の比較を試みたのである。
【００１６】
（２）前記（１）によって、試料槽部の底に指示電極（白金）を装填した人間の唾液の酸化還元電位（ＯＲＰ）測定手段を用いて、すでに、厚生労働省から医療機器として認証されている人間の唾液ＯＲＰ測定装置を用いて８，０００症例を超える唾液臨床でｍＶ数値限定による体調度を立証した横浜・小児内科医の岡澤美江子医師の協力のもと、患者及び付き添いの健
常者を含む２０人の同一溶液である唾液ＯＲＰの測定を実施した。表１は、ORP電極の性能チェックに用いる校正標準溶液を確立するために、酸化体と還元体が共存する溶液を校正標準溶液とするために、本発明装置に備えた各収納式の試料槽ＢＯＸ1、試料槽ＢＯＸ２、至る
試料槽ＢＯＸ３で、KCｌ  １mol溶液を用いてORP測定精度の比較を試みたのである。その結
果、表1で示す通り、日時が異なる5日間、各5回の測定結果はプラス６０ｍＶを基準にプラスマイナス５ｍＶ以内の再現数値が示され、たまたま偶然に一致したとは考えられず、本発明のORP数値化判定装置および使用方法の校正標準溶液としての所期の目的を達成したのであり、また、唾液ORP測定装置の必須条件である絶対値測定(同一溶液なら、ほぼ同じ値で計測される)とする精度の高い測定装置としての所期の目的を達成したのである。
【００１７】
（３）請求項１至る請求項１０も前記（１）〜（２）と同様に、基準電極、銀―塩化銀電極KCｌ  １molを格納する１５  内部液を格納する液槽の上部蓋となる下面部に細溝を設け、基準電極と指示電極である両電極の電子導通をKCｌ１molの溶液を介して連通させるようにしている。
上部蓋となる下面部に細溝を設けたことにより前記の通り基準電極、銀―塩化銀電極KCｌ  １molが接触する液絡部と試料槽部の底に内蔵された指示電極の三者間が常に一定の距離を設けられ、測定対象試料とする溶液含浸のみの酸化還元電位ORP値（ｍV）が安定して電子授受交換ができるようにした。本発明の測定装置は、表2に示す通り、収納式の試料槽ＢＯＸ1、試料槽ＢＯＸ２、至る試料槽ＢＯＸ３で、同一検体者の小唾液腺および局所唾液成分が混合された、口腔内の舌の上に綿棒を乗せ口を閉じて採取した総合唾液成分のＯＲＰ値（ｍＶ）の測定値差がプラスマイナス５ｍＶ以内で再現され、偶然に一致したとは考えられず、各収納式の試料槽ＢＯＸを用いた唾液ＯＲＰ測定において、本発明のORP数値化判定装置および使用方法によって、麻薬などの薬物を体内に取り込んだことでの微妙に体内を酸化傾向に導く反応を正確に捉えることを立証するために、唾液の酸化還元電位（ORP）による延べ８,０００症例の数値限定で体内の酸化と還元の度数分布を確立した小児内科医の岡澤美江子医師の測定協力のもと、その実施結果を表１至る表６で後述する。測定対象試料とする麻薬などの薬物を摂取したことによる、唾液ＯＲＰ値（ｍＶ）が酸化有意の強い酸化のストレス状態であるか、又は体内が還元有意の酸化のストレスが無い状態であるか否かのスクリーニング活用を可能にしたのである。
【００１８】
又、基準電極、銀―塩化銀電極KCｌ  １mol内部液を格納する液槽の上部蓋となる下面部に細溝を設け、基準電極と指示電極である両電極の電子導通をKCｌ１molの溶液を介して連通させたことで、より精緻な酸化還元電位測定装置となり、微妙な酸化還元反応を正確にとらえることができ、一例として測定対象試料の応用は、測定対象試料とする綿棒に精製水（純水）を含浸させたＯＲＰ値（ｍＶ）の測定と、同じく綿棒に精製水（純水）を含浸させ、測定場所の空気又は測定対象とする場所の土壌を所定時間触れさせた状態にするなど、多岐にわたって測定対象試料の酸化還元電位の測定が可能となったのである。又、表3至る表６で示す通り、耳下腺左右唾液と舌の上で採取の総体唾液のストレス値差が明確になるORP数値化判定装置および使用方法である。
【００１９】
【表１】
2019023597.tif 000003
【００２０】
本発明のORP数値化判定装置および使用方法を用いてのヒト唾液である同一検体液の
各収納式の試料槽ＢＯＸ１至る試料槽ＢＯＸ３の測定結果。ORP単位（ｍV）。
【００２１】
【表２】
2019023597.tif 000004
【００２２】
農薬不使用の植物エキスから抽出の醗酵成分ブレンド壁材を使用して施工した室内での
体感前後のヒト唾液ＯＲＰ経時変化。ORP単位（ｍV）。
【００２３】
【表３】
2019023597.tif 000005
【００２４】
シンナー系溶剤を混ぜての壁材を使用して施工した室室内での
体感前後のヒト唾液ＯＲＰ経時変化。ORP単位（ｍV）。
【００２５】
【表４】
2019023597.tif 000006
【００２６】
無農薬栽培レモンで、保存に防腐剤、カビ防止剤、乾燥防止剤など不使用の
レモン摂取前後の唾液の経時変化。ORP単位（ｍV）。
【００２７】
【表５】
2019023597.tif 000007
【００２８】
農薬栽培のレモンで、保存に防腐剤、カビ防止剤、乾燥防止剤などを使用した  
レモン摂取前後の唾液の経時変化。ORP単位（ｍV）。
【００２９】
【表６】
2019023597.tif 000008
【００３０】
表３、表４及び表５、表６について説明する。表３は農薬不使用の植物エキスから抽出の醗酵成分ブレンド壁材部屋での体感前後の唾液の経時変化である。表４はシンナー系使用の室内壁材塗料の部屋での体感前後の唾液の経時変化である。表５は無農薬栽培レモンで、保存に防腐剤、カビ防止剤、乾燥防止剤など不使用のレモン摂取前後の唾液の経時変化である。表６は農薬栽培のレモンで、保存に防腐剤、カビ防止剤、乾燥防止剤などを使用した  レモン摂取前後の唾液の経時変化である。この表３至る表６で示されたとおり、住まいの壁材に使用した実例及び果実に使用した実例にあるように、化学物質の体内への影響が、ほぼ同様に酸化反応を示したことで、本発明の本発明のORP数値化判定装置および使用方法が、測定対象試料とする麻薬などの薬物を摂取したことによる、体内が酸化有意の強い酸化状態であるか、又は還元有意の極めて弱い酸化状態か否かのスクリーニング活用が期待できる精度の高い測定装置としての所期の目的を達成したのである。
【００３１】
本発明者は麻薬と呼ばれる物の中には覚醒剤、大麻、アヘン、などの常用者の唾液臨床ができない状況から、唾液の酸化還元電位（ORP）による延べ８,０００症例の数値限定で体内の酸化と還元の度数分布を確立した小児内科医の岡澤美江子医師の測定協力のもと、表３至る表６に見られるように化学物質によって、人間の生体反応は、明確に唾液成分が強い酸化反応を示したのである。すなわち、化学物質により体内は大量に活性酸素が発生していることは明白であり、よって、表３至る表６で示したとおり人間の唾液ORPの酸化反応の経時変化が偶然に一致したとは考えられず、シンナー系の化学物質を使用した室内空気の体内摂取と農薬などの化学物質が含まれた果実の体内摂取において、本発明である基準電極、銀―塩化銀電極KCｌ  １molの内部液を格納する液槽の上部蓋となる下面部に細溝を設け、基準電極と指示電極である両電極の電子導通をKCｌ１molの溶液を介して連通させるようにして、電子移動をスムースにできると考察した結果は、前述表1至る表6で示した通りである。
【００３２】
被験者の唾液を含浸させた綿棒を差し込む試料槽部を設けたORP数値化判定装置および使用方法である。請求項に述べている、麻薬と呼ばれる物の中には覚醒剤、大麻、アヘン、モルヒネ、ヘロイン、MDMA・MDA、コカイン、シンナー等有機溶剤、危険ドラッグなどがあり、これらの摂取乱用により、体内細胞への酸化反応が強くなる。大麻などの植物による神経細胞の麻痺は幻覚症状であり、正常な生体機能をクラッシュさせ酸化となる。さらに、覚せい剤は人工の化学物質を混ぜたメタンフェタミンであり、これらの人工的な化学物質を体内に取り込むことで、体内は大量の強い活性酸素が生成されることが考察されるとする理由を表３至る表６で証明したのであり、血液を通して唾液の酸化還元反応が、飲食又は体感後において最速で３０分経過後に色濃く現れる生体反応の特性を捉え、覚せい剤反応のスクリーニング活用が大いに期待できることに着眼したのである。
【図面の簡単な説明】
【００３３】
【図１】本発明の図１は、本発明の酸化還元電位測定装置の指示電極と基準電極（参照電極）の溶液を介してマイナス電子とプラス電子授受のORP数値化判定装置および使用方法の全体構成図である。
【図２】本発明の図２は本発明の酸化還元電位測定装置には、基準電極、銀―塩化銀電  極KCｌ  １mol内部液を格納する液槽の上部蓋となる下面部に細溝を設けた断面図である。
【００３４】
図１で示す通り、基準電極、銀―塩化銀電極KCｌ  １molが接触する液絡部と試料槽部の底に内蔵された指示電極の三者間が常に一定の距離を設けられ、測定中に指示電極が溶液含浸綿棒に覆われることで空気に触れて酸化還元の緩衝を受けずに、測定対象試料とする溶液含浸のみの酸化還元電位ORP値（ｍV）が安定して電子授受交換ができるようにしているのである。本発明に測定装置に用いる内部液の濃度は、KCｌ １molに限定されない、
【００３５】
つぎに、本発明の図２で示す通り、基準電極、銀―塩化銀電極KCｌ  １molを格納する１５  内部液を格納する液槽の上部蓋となる下面部に細溝を設け、基準電極と指示電極である両電極の電子導通をKCｌ １molの溶液を介して連通させるようにした構成図である。これは浴槽室内において天井の溝に水滴が足る速い動きからの着眼で、内部液を格納する液槽の上部蓋となる下面部に細溝を設けたことは浴槽室内の天井に溝をほどこしたことと同じになり、液絡部からのKCｌ  １molの流出で起きる結晶化が極少にでき、唾液含浸の綿棒を測定の試料槽部に差し込むことで毛細管現象を利用してのKCｌ １mol 溶液の流出が最小で抑えられ、測定対象試料であるプラスマイナスの電子移動速度が速くなり、安定した再現精度測定は、表１及び表２で示されたとおりである。
【発明を実施するための形態】
【００３６】
本発明を実施するための最良の形態について説明する。内部液を格納する液槽の上部蓋
となる下面部に細溝を設け、基準電極と指示電極である両電極の電子導通をKCｌ １molの溶液を介して連通させるようにしたORP数値化判定装置および使用方法である。唾液の生体反応は酸化体と還元体の電子の授受であり、電子の流れは負極（マイナス）から正極（プラス）となり、マイナス電子を奪われ酸化することを意味する。負極（マイナス）電子が放出（奪われた）場合は酸化反応であり、反対に起こっている正極（プラス）が負極（マイナス）電子を受け取る場合は還元反応である。人間の体は常に負極（マイナス）電子が奪われる自然摂理で構成され、酸化反応をいかに抑えるかが健康で生きるための大切な要件である。
【実施例】
【００３７】
図１について説明する。８は本発明のORP数値化判定装置および使用方法において、測
定装置の試料槽の底部に装填の指示電極と基準電極の内部液格納の溶液を介しての電子
授受の構成の断面図であり、９は酸化還元電位差計を有し、１０は指示電極と参照電極導通のリード線であり、１１は参照電極となる銀電極とし、１２は試料槽部土台、１３は試料槽部上面、１４試料槽部上部浅瀬部分であり、１５は内部液を格納する液槽の上部ふたを設け、１６は内部液を格納する液槽の上面であり、１７には塩化カリウムが格納されてる。１８は基準電極の銀線ＫＣl １mol内部液槽の蓋となる、下面部に細溝が連通し、１９は銀線が内蔵され、
２０は銀線を包み込む銀粉であり、２１は内部液を格納する液槽のＫＣＬ溶液が漏れないようにパッキンを挟み込むようにしている。２２はガラスやカーボン等の不活性素材からなる筒部を設け、２３はコットンを詰め込み銀粉が流出しないようにしている。２４は綿棒などの多孔性物質を差込む縦筒穴の底部であり接着ボンドで４の白金電極を固定している。２５は指示電極棒状の下部をナットで締めるようにしてゆるみが出ないようにしている。２６は試料槽部に差し込む綿棒などの多孔性物質で構成される持ち手部が木軸及び紙軸であり、２７は綿棒の綿部分に含浸の被検液とKCｌ １mol溶液が接触する液絡部であり、２８は指示電極と綿棒に含浸の唾液とKCｌ １mol溶液が接する液絡部への導通イメージであり、２９は指示電極の頭部を丸み形状をもたせ唾液含浸綿棒との接触部で構成している。
【００３８】
図２について説明する。図２において８の本発明の１０は指示電極と参照電極導通のリード線であり、１１は参照電極となる銀電極とし、１５は内部液を格納する液槽の上部ふたを設け、１６は内部液を格納する液槽の上面である。１８は基準電極の銀線ＫＣＬ溶液導通の細溝とし、内部液を格納する液槽の上部ふたの下面部に細溝を設けることで測定対象試料の電子導通が加速され安定した酸化還元電位測定が得られることを前記表１及び表2で示した通りである。
【産業上の利用可能性】
【００３９】
本発明の測定装置は、1台の装置で、舌の上に集まる総合唾液および還元有意に導くアミラーゼ、パロチン、ラクトペルオキシターゼ、ヒスタチンなどを主流とする酸化影響を受けやすい耳下腺左右から分泌される唾液成分3か所のヒト唾液成分の酸化還元電位値（ｍＶ）比較測定を可能にし、２０２０年のオリンピックにおいてのスクリーニング検査。各国選手は国民性の違いから下着を脱いでのドーピング検査に抵抗があり、検査時間がかかることから、唾液による簡便な行為でスクリーニング検査活用で、疑わしき場合には、尿、血液検査など絞り込んだ検査体制に進ませることが可能となり、早期の覚せい剤乱用阻止と一般市民の社会生活、集団組織の規律を遵守することなど産業上での利用は大いに期待できるのである。
【符号の説明】
【００４０】
８  試料槽の指示電極と基準電極の内部液格納の溶液を介しての電子授受の構成の断面図
９  酸化還元電位差計
１０  指示電極と参照電極導通のリード線
１１  参照電極となる銀電極
１２  試料槽部土台
１３  試料槽部上面
１４  試料槽部上部浅瀬部分
１５  内部液を格納する液槽の上部ふた面
１６  内部液を格納する液槽の上面
１７  塩化カリウム
１８  基準電極の銀線ＫＣl １mol内部液槽の蓋となる、下面部に細溝が連通
１９  銀線
２０  銀線を包み込む銀粉
２１  内部液を格納する液槽のＫＣl １mol溶液が漏れないようにパッキンを挟み込む
２２  ガラスやカーボン等の不活性素材からなる筒部  
２３  コットン
２４  綿棒などの多孔性物質を差込む縦筒穴の底部は接着ボンドで白金電極を固定
２５  指示電極棒状の下部をナットで試料槽の底部に固定の白金電極を締める
２６  試料槽部に差し込む綿棒などの多孔性物質で構成される持ち手部が木軸及び紙軸
２７  綿棒の綿部分に含浸の被検液とＫＣl １mol溶液が接触する液絡部  
２８  指示電極と綿棒に含浸された唾液溶液とＫＣl １mol溶液が接触する液絡部への導通部
２９  指示電極先端部を丸み形状として唾液含浸綿棒との接触部
【図１】
2019023597.tif 000009
【図２】
2019023597.tif 000010
【手続補正書】
【提出日】平成29年10月27日(2017.10.27)
【手続補正１】
【補正対象書類名】明細書
【補正対象項目名】全文
【補正方法】変更
【補正の内容】
【発明の詳細な説明】
【技術分野】
【０００１】
本発明はＯＲＰ数値化判定装置および使用方法にかんする。
【背景技術】
【０００２】
酸化還元電位測定装置は指示電極と参照電極を備え、指示電極と参照電極を試料溶液中に挿入し、溶液中の電解質の濃度や酸化体・還元体のイオン濃度比など酸化還元電位を測定する。従来、酸化還元電位の測定は主に排水やプラント水の水質検査など多量の溶液を対象とする一方、試料溶液が少量で、緩衝能力が低い場合、測定の再現精度が不安定で正確性にかけるという欠点があった。液絡部を通して試料溶液中に流出する参照電極（銀−塩化銀）側の内部液が試料溶液と接触することによって酸化還元電位が測定されるのであるが、指示電極とする白金電極との距離が近いことにより検体液以外の参照電極（銀−塩化銀）側の内部液が試料槽部に装填される指示電極に接触してしまうことで緩衝能力の低い試料溶液（唾液などの生体液等）のような場合、参照電極の内部液の流出がわずかであっても検体溶液に対する影響が大きく、指示電極に直接接触した場合は、検体溶液の測定ではなく、内部溶液に影響された測定となり正確な酸化還元電位測定ができないからである。
【先行技術文献】
【特許文献】
【０００３】
特許文献１は、測定電極及び比較電極を被検液に浸漬して被検液の酸化還元電位を測定する酸化還元電位測定装置の電極を検査する方法、及びその検査に使用する標準液に関するものを提供しているものである。
【０００４】
特許文献２は、過硫酸塩を活性炭により還元処理する過硫酸塩処理装置、過硫酸塩処理方法の技術に関するものである。
【０００５】
特許文献３及び特許文献４とも本出願人の発明による人間の生体液である唾液の酸化還元電位を測定する装置について提供している。
【０００６】
【特許文献１】特許第5157880号公報
【特許文献２】特許第5980652号公報
【特許文献３】特許第4154884号公報
【特許文献４】特許第4650771号公報
【発明の概要】
【発明が解決しようとする課題】
【０００７】
本発明は、特許文献３及び特許文献４で示す通り、酸化還元電位測定装置は指示電極と参照電極を備え、指示電極と参照電極を試料溶液中に挿入し、溶液中の電解質の濃度や酸化体・還元体のイオン濃度比など酸化還元電位を測定する人間の唾液の酸化還元電位測定装置であるが、検体液を含浸させた綿棒を接触させる試料槽部に新しい検体液の測定ごとに綿棒に添えて丸棒形状の指示電極を装填することで酸化還元電位を測定するのであるが、測定装置本体の外付け装着の白金電極においては、測定装置使用者の取り扱いが粗雑な場合は、丸棒形状の白金電極を折り曲げ微細な傷をつける問題が生じることになり、それにより、測定精度の大きな値差が生じるのである。
【０００８】
従来においては、ORP電極の性能チェックに用いる校正標準溶液においては、酸化体と還元体が共存しない、溶存酸素（DO）、すなわち水質に含む酸素の量が極めて少ないキンシドロン液など、空気に触れても酸化側にも還元側にも傾かない比較的安定しているとしてキンシドロン溶液を用いてORP電極の性能チェックを行うための標準溶液が使用されている。
【０００９】
当発明のORP数値化判定装置および使用方法においては、測定対象試料に酸化体と還元体が混在している試料液であり、この酸化体と還元体の電子授受の電位差を計測するのであり、酸化体と還元体が共存しない、すなわち、溶存酸素（DO）が存在しない溶液を用いてORP電極の性能チェックでは、本発明のORP数値化判定装置および使用方法の校正標準溶液の要件を果たせないと考える。
【課題を解決するための手段】
【００１０】
この課題を解決するため本発明にかかる酸化還元電位測定装置は、検体液である人間の唾液採取の綿棒、又は各種水溶液を含浸させた綿棒を参照電極と指示電極に介在させることで、溶液中の電解質の濃度や酸化体・還元体のイオン濃度比など酸化還元電位を測定する構成としている。
【００１１】
図１で示す通り、基準電極、銀―塩化銀電極KCｌ  １mol（KCl 内部液濃度は限定されない）が接触する液絡部と試料槽部の底に内蔵された指示電極の三者間が常に一定の距離を設けられ、測定中に指示電極が溶液含浸綿棒に覆われることで空気に触れて起こる酸化還元の緩衝を受けずに、測定対象試料とする溶液含浸のみの酸化還元電位ORP値（ｍV）が安定して電子授受交換ができるように構成されている。
【００１２】
つぎに、図2で示す通り、基準電極、銀―塩化銀電極KCｌ  １mol（KCl 内部液濃度は限定されない）を格納する１５  内部液を格納する液槽の上部蓋となるうえ下面部に細溝を設け、基準電極と指示電極である両電極の電子導通をKCｌ１molの溶液を介して連通させるようにしたことにより、指示電極は空気に触れて酸化影響を受けることなくKCl溶液を通してプラスマイナスの電子導通が加速されることの証としての表1、表2のデータによって後述する。
【００１３】
なぜなら、浴槽の天井の水滴の動きは天井平面より、天井側に溝を掘ってある箇所ほど早い速度で流れることに注目し、肉眼では目視できない電子の流れも引力に引き付けられる状態でありながら、より移動速度は高まり電子授受が安定し、酸化還元電位測定の再現精度を高められと考察したのである。
【００１４】
上記目的を達成するために、本発明は（請求項１の構成要件）とで、本発明の溶液中の電解質の濃度や酸化体・還元体のイオン濃度比など酸化還元電位を測定する構成であり、前記浴槽の天井の水滴の動きは天井平面より、天井側に溝を掘ってある箇所ほど早い速度で流れることに注目し、肉眼では目視できない電子の流れも引力に引き付けられる状態でありながら、より移動速度は高まり電子授受が安定し、酸化還元電位測定の再現精度を高められることを突き止め、表１に示す通り、本発明のORP数値化判定装置および使用方法の校正標準溶液の要件を果たせるようにしたのである。
【発明の効果】
【００１５】
以上の説明から明らかなように、本発明にあっては次に列挙する効果が得られる。
（１）（請求項１の構成要件）とで構成されているので、人間の唾液の酸化還元電位（ＯＲＰ）測定手段を用いて、本発明の有効性を証明するために、本発明者が取得している特許をもとに開発した厚生労働省から医療機器として認証されている人間の唾液ＯＲＰ測定装置と本発明のORP数値化判定装置および使用方法により、本発明で用いる校正標準溶液とする溶液は、KCｌ  １mol溶液により測定精度の比較を試みたのである。
【００１６】
（２）前記（１）によって、試料槽部の底に指示電極（白金）を装填した人間の唾液の酸化還元電位（ＯＲＰ）測定手段を用いて、すでに、厚生労働省から医療機器として認証されている人間の唾液ＯＲＰ測定装置を用いて８，０００症例を超える唾液臨床でｍＶ数値限定による体調度を立証した横浜・小児内科医の岡澤美江子医師の協力のもと、患者及び付き添いの健
常者を含む２０人の同一溶液である唾液ＯＲＰの測定を実施した。表１は、ORP電極の性能チェックに用いる校正標準溶液を確立するために、酸化体と還元体が共存する溶液を校正標準溶液とするために、本発明装置に備えた各収納式の試料槽ＢＯＸ1、試料槽ＢＯＸ２、至る
試料槽ＢＯＸ３で、KCｌ  １mol溶液を用いてORP測定精度の比較を試みたのである。その結
果、表1で示す通り、日時が異なる5日間、各5回の測定結果はプラス６０ｍＶを基準にプラスマイナス５ｍＶ以内の再現数値が示され、たまたま偶然に一致したとは考えられず、本発明のORP数値化判定装置および使用方法の校正標準溶液としての所期の目的を達成したのであり、また、唾液ORP測定装置の必須条件である絶対値測定(同一溶液なら、ほぼ同じ値で計測される)とする精度の高い測定装置としての所期の目的を達成したのである。
【００１７】
（３）請求項１至る請求項１０も前記（１）〜（２）と同様に、基準電極、銀―塩化銀電極KCｌ  １molを格納する１５  内部液を格納する液槽の上部蓋となる下面部に細溝を設け、基準電極と指示電極である両電極の電子導通をKCｌ１molの溶液を介して連通させるようにしている。
上部蓋となる下面部に細溝を設けたことにより前記の通り基準電極、銀―塩化銀電極KCｌ  １molが接触する液絡部と試料槽部の底に内蔵された指示電極の三者間が常に一定の距離を設けられ、測定対象試料とする溶液含浸のみの酸化還元電位ORP値（ｍV）が安定して電子授受交換ができるようにした。本発明の測定装置は、表2に示す通り、収納式の試料槽ＢＯＸ1、試料槽ＢＯＸ２、至る試料槽ＢＯＸ３で、同一検体者の小唾液腺および局所唾液成分が混合された、口腔内の舌の上に綿棒を乗せ口を閉じて採取した総合唾液成分のＯＲＰ値（ｍＶ）の測定値差がプラスマイナス５ｍＶ以内で再現され、偶然に一致したとは考えられず、各収納式の試料槽ＢＯＸを用いた唾液ＯＲＰ測定において、本発明のORP数値化判定装置および使用方法によって、麻薬などの薬物を体内に取り込んだことでの微妙に体内を酸化傾向に導く反応を正確に捉えることを立証するために、唾液の酸化還元電位（ORP）による延べ８,０００症例の数値限定で体内の酸化と還元の度数分布を確立した小児内科医の岡澤美江子医師の測定協力のもと、その実施結果を表１至る表６で後述する。測定対象試料とする麻薬などの薬物を摂取したことによる、唾液ＯＲＰ値（ｍＶ）が酸化有意の強い酸化のストレス状態であるか、又は体内が還元有意の酸化のストレスが無い状態であるか否かのスクリーニング活用を可能にしたのである。
【００１８】
又、基準電極、銀―塩化銀電極KCｌ  １mol内部液を格納する液槽の上部蓋となる下面部に細溝を設け、基準電極と指示電極である両電極の電子導通をKCｌ１molの溶液を介して連通させたことで、より精緻な酸化還元電位測定装置となり、微妙な酸化還元反応を正確にとらえることができ、一例として測定対象試料の応用は、測定対象試料とする綿棒に精製水（純水）を含浸させたＯＲＰ値（ｍＶ）の測定と、同じく綿棒に精製水（純水）を含浸させ、測定場所の空気又は測定対象とする場所の土壌を所定時間触れさせた状態にするなど、多岐にわたって測定対象試料の酸化還元電位の測定が可能となったのである。又、表3至る表６で示す通り、耳下腺左右唾液と舌の上で採取の総体唾液のストレス値差が明確になるORP数値化判定装置および使用方法である。
【００１９】
【表１】
2019023597.tif 000011
【００２０】
本発明のORP数値化判定装置および使用方法を用いてのヒト唾液である同一検体液の
各収納式の試料槽ＢＯＸ１至る試料槽ＢＯＸ３の測定結果。ORP単位（ｍV）。
【００２１】
【表２】
2019023597.tif 000012
【００２２】
農薬不使用の植物エキスから抽出の醗酵成分ブレンド壁材を使用して施工した室内での
体感前後のヒト唾液ＯＲＰ経時変化。ORP単位（ｍV）。
【００２３】
【表３】
2019023597.tif 000013
【００２４】
シンナー系溶剤を混ぜての壁材を使用して施工した室室内での
体感前後のヒト唾液ＯＲＰ経時変化。ORP単位（ｍV）。
【００２５】
【表４】
2019023597.tif 000014
【００２６】
無農薬栽培レモンで、保存に防腐剤、カビ防止剤、乾燥防止剤など不使用の
レモン摂取前後の唾液の経時変化。ORP単位（ｍV）。
【００２７】
【表５】
2019023597.tif 000015
【００２８】
農薬栽培のレモンで、保存に防腐剤、カビ防止剤、乾燥防止剤などを使用した  
レモン摂取前後の唾液の経時変化。ORP単位（ｍV）。
【００２９】
【表６】
2019023597.tif 000016
【００３０】
表３、表４及び表５、表６について説明する。表３は農薬不使用の植物エキスから抽出の醗酵成分ブレンド壁材部屋での体感前後の唾液の経時変化である。表４はシンナー系使用の室内壁材塗料の部屋での体感前後の唾液の経時変化である。表５は無農薬栽培レモンで、保存に防腐剤、カビ防止剤、乾燥防止剤など不使用のレモン摂取前後の唾液の経時変化である。表６は農薬栽培のレモンで、保存に防腐剤、カビ防止剤、乾燥防止剤などを使用した  レモン摂取前後の唾液の経時変化である。この表３至る表６で示されたとおり、住まいの壁材に使用した実例及び果実に使用した実例にあるように、化学物質の体内への影響が、ほぼ同様に酸化反応を示したことで、本発明の本発明のORP数値化判定装置および使用方法が、測定対象試料とする麻薬などの薬物を摂取したことによる、体内が酸化有意の強い酸化状態であるか、又は還元有意の極めて弱い酸化状態か否かのスクリーニング活用が期待できる精度の高い測定装置としての所期の目的を達成したのである。
【００３１】
本発明者は麻薬と呼ばれる物の中には覚醒剤、大麻、アヘン、などの常用者の唾液臨床ができない状況から、唾液の酸化還元電位（ORP）による延べ８,０００症例の数値限定で体内の酸化と還元の度数分布を確立した小児内科医の岡澤美江子医師の測定協力のもと、表３至る表６に見られるように化学物質によって、人間の生体反応は、明確に唾液成分が強い酸化反応を示したのである。すなわち、化学物質により体内は大量に活性酸素が発生していることは明白であり、よって、表３至る表６で示したとおり人間の唾液ORPの酸化反応の経時変化が偶然に一致したとは考えられず、シンナー系の化学物質を使用した室内空気の体内摂取と農薬などの化学物質が含まれた果実の体内摂取において、本発明である基準電極、銀―塩化銀電極KCｌ  １molの内部液を格納する液槽の上部蓋となる下面部に細溝を設け、基準電極と指示電極である両電極の電子導通をKCｌ１molの溶液を介して連通させるようにして、電子移動をスムースにできると考察した結果は、前述表1至る表6で示した通りである。
【００３２】
被験者の唾液を含浸させた綿棒を差し込む試料槽部を設けたORP数値化判定装置および使用方法である。請求項に述べている、麻薬と呼ばれる物の中には覚醒剤、大麻、アヘン、モルヒネ、ヘロイン、MDMA・MDA、コカイン、シンナー等有機溶剤、危険ドラッグなどがあり、これらの摂取乱用により、体内細胞への酸化反応が強くなる。大麻などの植物による神経細胞の麻痺は幻覚症状であり、正常な生体機能をクラッシュさせ酸化となる。さらに、覚せい剤は人工の化学物質を混ぜたメタンフェタミンであり、これらの人工的な化学物質を体内に取り込むことで、体内は大量の強い活性酸素が生成されることが考察されるとする理由を表３至る表６で証明したのであり、血液を通して唾液の酸化還元反応が、飲食又は体感後において最速で３０分経過後に色濃く現れる生体反応の特性を捉え、覚せい剤反応のスクリーニング活用が大いに期待できることに着眼したのである。
【図面の簡単な説明】
【００３３】
【図１】本発明の図１は、本発明の酸化還元電位測定装置の指示電極と基準電極（参照電極）の溶液を介してマイナス電子とプラス電子授受のORP数値化判定装置および使用方法の全体構成図である。
【図２】本発明の図２は本発明の酸化還元電位測定装置には、基準電極、銀―塩化銀電  極KCｌ  １mol内部液を格納する液槽の上部蓋となる下面部に細溝を設けた断面図である。
【００３４】
図１で示す通り、基準電極、銀―塩化銀電極KCｌ  １molが接触する液絡部と試料槽部の底に内蔵された指示電極の三者間が常に一定の距離を設けられ、測定中に指示電極が溶液含浸綿棒に覆われることで空気に触れて酸化還元の緩衝を受けずに、測定対象試料とする溶液含浸のみの酸化還元電位ORP値（ｍV）が安定して電子授受交換ができるようにしているのである。本発明に測定装置に用いる内部液の濃度は、KCｌ １molに限定されない、
【００３５】
つぎに、本発明の図２で示す通り、基準電極、銀―塩化銀電極KCｌ  １molを格納する１５  内部液を格納する液槽の上部蓋となる下面部に細溝を設け、基準電極と指示電極である両電極の電子導通をKCｌ １molの溶液を介して連通させるようにした構成図である。これは浴槽室内において天井の溝に水滴が足る速い動きからの着眼で、内部液を格納する液槽の上部蓋となる下面部に細溝を設けたことは浴槽室内の天井に溝をほどこしたことと同じになり、液絡部からのKCｌ  １molの流出で起きる結晶化が極少にでき、唾液含浸の綿棒を測定の試料槽部に差し込むことで毛細管現象を利用してのKCｌ １mol 溶液の流出が最小で抑えられ、測定対象試料であるプラスマイナスの電子移動速度が速くなり、安定した再現精度測定は、表１及び表２で示されたとおりである。
【発明を実施するための形態】
【００３６】
本発明を実施するための最良の形態について説明する。内部液を格納する液槽の上部蓋
となる下面部に細溝を設け、基準電極と指示電極である両電極の電子導通をKCｌ １molの溶液を介して連通させるようにしたORP数値化判定装置および使用方法である。唾液の生体反応は酸化体と還元体の電子の授受であり、電子の流れは負極（マイナス）から正極（プラス）となり、マイナス電子を奪われ酸化することを意味する。負極（マイナス）電子が放出（奪われた）場合は酸化反応であり、反対に起こっている正極（プラス）が負極（マイナス）電子を受け取る場合は還元反応である。人間の体は常に負極（マイナス）電子が奪われる自然摂理で構成され、酸化反応をいかに抑えるかが健康で生きるための大切な要件である。
【実施例】
【００３７】
図１について説明する。８は本発明のORP数値化判定装置および使用方法において、測
定装置の試料槽の底部に装填の指示電極と基準電極の内部液格納の溶液を介しての電子
授受の構成の断面図であり、９は酸化還元電位差計を有し、１０は指示電極と参照電極導通のリード線であり、１１は参照電極となる銀電極とし、１２は試料槽部土台、１３は試料槽部上面、１４試料槽部上部浅瀬部分であり、１５は内部液を格納する液槽の上部ふたを設け、１６は内部液を格納する液槽の上面であり、１７には塩化カリウムが格納されてる。１８は基準電極の銀線ＫＣl １mol内部液槽の蓋となる、下面部に細溝が連通し、１９は銀線が内蔵され、
２０は銀線を包み込む銀粉であり、２１は内部液を格納する液槽のKCｌ溶液が漏れないようにパッキンを挟み込むようにしている。２２はガラスやカーボン等の不活性素材からなる筒部を設け、２３はコットンを詰め込み銀粉が流出しないようにしている。２４は綿棒などの多孔性物質を差込む縦筒穴の底部であり接着ボンドで４の白金電極を固定している。２５は指示電極棒状の下部をナットで締めるようにしてゆるみが出ないようにしている。２６は試料槽部に差し込む綿棒などの多孔性物質で構成される持ち手部が木軸及び紙軸であり、２７は綿棒の綿部分に含浸の被検液とKCｌ １mol溶液が接触する液絡部であり、２８は指示電極と綿棒に含浸の唾液とKCｌ １mol溶液が接する液絡部への導通イメージであり、２９は指示電極の頭部を丸み形状をもたせ唾液含浸綿棒との接触部で構成している。
【００３８】
図２について説明する。図２において８の本発明の１０は指示電極と参照電極導通のリード線であり、１１は参照電極となる銀電極とし、１５は内部液を格納する液槽の上部ふたを設け、１６は内部液を格納する液槽の上面である。１８は基準電極の銀線ＫＣＬ溶液導通の細溝とし、内部液を格納する液槽の上部ふたの下面部に細溝を設けることで測定対象試料の電子導通が加速され安定した酸化還元電位測定が得られることを前記表１及び表2で示した通りである。
【産業上の利用可能性】
【００３９】
本発明の測定装置は、1台の装置で、舌の上に集まる総合唾液および還元有意に導くアミラーゼ、パロチン、ラクトペルオキシターゼ、ヒスタチンなどを主流とする酸化影響を受けやすい耳下腺左右から分泌される唾液成分3か所のヒト唾液成分の酸化還元電位値（ｍＶ）比較測定を可能にし、２０２０年のオリンピックにおいてのスクリーニング検査。各国選手は国民性の違いから下着を脱いでのドーピング検査に抵抗があり、検査時間がかかることから、唾液による簡便な行為でスクリーニング検査活用で、疑わしき場合には、尿、血液検査など絞り込んだ検査体制に進ませることが可能となり、早期の覚せい剤乱用阻止と一般市民の社会生活、集団組織の規律を遵守することなど産業上での利用は大いに期待できるのである。
【符号の説明】
【００４０】
８  試料槽の指示電極と基準電極の内部液格納の溶液を介しての電子授受の構成の断面図
９  酸化還元電位差計
１０  指示電極と参照電極導通のリード線
１１  参照電極となる銀電極
１２  試料槽部土台
１３  試料槽部上面
１４  試料槽部上部浅瀬部分
１５  内部液を格納する液槽の上部ふた面
１６  内部液を格納する液槽の上面
１７  塩化カリウム
１８  基準電極の銀線ＫＣl １mol内部液槽の蓋となる、下面部に細溝が連通
１９  銀線
２０  銀線を包み込む銀粉
２１  内部液を格納する液槽のＫＣl １mol溶液が漏れないようにパッキンを挟み込む
２２  ガラスやカーボン等の不活性素材からなる筒部  
２３  コットン
２４  綿棒などの多孔性物質を差込む縦筒穴の底部は接着ボンドで白金電極を固定
２５  指示電極棒状の下部をナットで試料槽の底部に固定の白金電極を締める
２６  試料槽部に差し込む綿棒などの多孔性物質で構成される持ち手部が木軸及び紙軸
２７  綿棒の綿部分に含浸の被検液とＫＣl １mol溶液が接触する液絡部  
２８  指示電極と綿棒に含浸された唾液溶液とＫＣl １mol溶液が接触する液絡部への導通部
２９  指示電極先端部を丸み形状として唾液含浸綿棒との接触部
【手続補正２】
【補正対象書類名】特許請求の範囲
【補正対象項目名】全文
【補正方法】変更
【補正の内容】
【特許請求の範囲】
【請求項１】
基準電極、
前記基準電極の内部液を保持し、格納する、内部液槽の蓋の下面部に細溝として設けられ
た液絡部であって、前記内部液槽と連通し測定対象試料を含浸させた綿棒と接する液絡部、
前記測定対象試料が接触する指示電極、の三者間が、
前記内部液を保持する前記液絡部と前記細溝で電子導通され、
前記基準電極と前記指示電極が接続される酸化還元電位差計を備えており、
測定中に、前記指示電極が直接、空気に触れずに、前記液絡部が連通する、
試料槽部に測定対象試料を差し込むことで、
前記測定対象試料の酸化還元電位（ｍＶ）の測定値を、
比較検証することを特徴とするＯＲＰ数値化判定測定装置。
【請求項２】
同一検体者の耳下腺左右である局所唾液成分と、
同じく小唾液腺および局所唾液成分が混在している、口腔内の舌の上に綿棒を乗せ採取した総合唾液成分の３か所の、ヒト唾液の酸化還元電位（ＯＲＰ）値（ｍＶ）との値差を比較するのであり、前記ＯＲＰ数値化判定装置に設けられた前記試料槽部に、前記測定対象試料を差し込むことで、
麻薬などの薬物を摂取したことによる、唾液ＯＲＰ値（ｍＶ）が酸化有意の強い酸化のストレス状態であるか、又は薬物を摂取などの無い、
還元有意の酸化のストレスが無い状態であるか否かを、
見極めるスクリーニング活用ができるようにし、
前記測定対象試料の酸化還元電位（ｍＶ）の測定値を、
比較検証することを特徴とする請求項１に記載のＯＲＰ数値化判定測定装置。
【請求項３】
前記基準電極は銀―塩化銀電極であって、
同一検体者の耳下腺左右である局所唾液成分と、
同じく小唾液腺および局所唾液成分が混在している、
口腔内の舌の上に綿棒を乗せ採取した総合唾液成分の
ヒト唾液の酸化還元電位（ＯＲＰ）値（ｍＶ）との値差を比較するのであり、
前記ＯＲＰ数値化判定装置に設けられた前記試料槽部に、
前記測定対象試料を差し込むことで、
前記測定対象試料とする麻薬などの薬物を摂取したことによる、
前記耳下腺左右唾液の酸化還元電位（ＯＲＰ）値（ｍＶ）が、
プラス１ｍＶ以上からプラス７０ｍＶ方向の範囲において、
酸化有意の弱い酸化のストレス状態であるか、
又は前記耳下腺左右唾液の酸化還元電位（ＯＲＰ）値（ｍＶ）が、
プラス７１ｍＶ以上からプラス２５０ｍＶ方向の範囲において、
酸化有意の強い酸化のストレス状態であるか否かを、
見極めるスクリーニング活用ができるようにし、
請求項１又は２に記載のＯＲＰ数値化判定装置で、
測定値を比較検証することを特徴とする使用方法。
【請求項４】
前記基準電極は銀―塩化銀電極であって、
同一検体者の耳下腺左右である局所唾液成分と、
同じく小唾液腺および局所唾液成分が混在している、
口腔内の舌の上に綿棒を乗せ採取した総合唾液成分の
ヒト唾液の酸化還元電位（ＯＲＰ）値（ｍＶ）との値差を比較するのであり、
前記ＯＲＰ数値化判定装置に設けられた前記試料槽部に、
前記測定対象試料を差し込むことで、
前記測定対象試料とする麻薬などの薬物を摂取したことによる、
前記舌の上で採取した総合唾液の酸化還元電位（ＯＲＰ）値（ｍＶ）が、
プラス４１ｍＶ以上からプラス１１０ｍＶ方向の範囲において、
酸化有意の弱い酸化のストレス状態であるか、
又は前記舌の上で採取した総合唾液の酸化還元電位（ＯＲＰ）値（ｍＶ）が、
プラス１１１ｍＶ以上からプラス２５０ｍＶ方向の範囲において、
酸化有意の強い酸化のストレス状態であるか否かを、
見極めるスクリーニング活用ができるようにし、
請求項１又は２に記載のＯＲＰ数値化判定装置で、
測定値を比較検証することを特徴とする使用方法。
【請求項５】
前記基準電極は銀―塩化銀電極であって、
同一検体者の耳下腺左右である局所唾液成分と、
同じく小唾液腺および局所唾液成分が混在している、
口腔内の舌の上に綿棒を乗せ採取した総合唾液成分の
ヒト唾液の酸化還元電位（ＯＲＰ）値（ｍＶ）との値差を比較するのであり、
前記ＯＲＰ数値化判定装置に設けられた前記試料槽部に、
前記測定対象試料を差し込むことで、
前記測定対象試料とする麻薬などの薬物を摂取したことによる、
前記耳下腺左右唾液の酸化還元電位（ＯＲＰ）値（ｍＶ）が
プラスマイナス０ｍＶ以下からマイナス３０ｍＶ方向の範囲において、
還元有意の酸化のストレスが極めて弱い状態であるか、
又は前記耳下腺左右唾液の酸化還元電位（ＯＲＰ）値（ｍＶ）が、
マイナス３１ｍＶ以下からマイナス２５０ｍＶ方向の範囲において、
還元有意の酸化のストレスが無い状態であるか否かを、
見極めるスクリーニング活用ができるようにし、
請求項１、２又は３に記載のＯＲＰ数値化判定装置で、
測定値を比較検証することを特徴とする使用方法。
【請求項６】
前記基準電極は銀―塩化銀電極であって、
同一検体者の耳下腺左右である局所唾液成分と、
同じく小唾液腺および局所唾液成分が混在している、
口腔内の舌の上に綿棒を乗せ採取した総合唾液成分の
ヒト唾液の酸化還元電位（ＯＲＰ）値（ｍＶ）との値差を比較するのであり、
前記ＯＲＰ数値化判定装置に設けられた前記試料槽部に、
前記測定対象試料を差し込むことで、
前記測定対象試料とする麻薬などの薬物を摂取したことによる、
前記舌の上で採取した総合唾液の酸化還元電位（ＯＲＰ）値（ｍＶ）が
プラス４０ｍＶ以下からマイナス１０ｍＶ方向の範囲において、
還元有意の酸化のストレスが極めて弱い状態であるか、
又は前記舌の上で採取した総合唾液の酸化還元電位（ＯＲＰ）値（ｍＶ）が、
マイナス１１ｍＶ以下からマイナス２５０ｍＶ方向の範囲において、
還元有意の酸化のストレスが無い状態であるか否かを、
見極めるスクリーニング活用ができるようにし、
請求項１、２又は４に記載のＯＲＰ数値化判定装置で、
測定値を比較検証することを特徴とする使用方法。
【請求項７】
前記ＯＲＰ数値化判定装置に設けられた前記試料槽部に、
校正標準溶液とするＫＣl １mol溶液を測定対象試料として差し込むことで、
酸化還元電位測定装置の電極の校正及び性能チェックに活用できるようにし、
請求項１又は２に記載のＯＲＰ数値化判定装置で、
測定値の再現精度を比較検証することを特徴とする使用方法。
【請求項８】
前記ＯＲＰ数値化判定装置に設けられた前記試料槽部に、
校正標準溶液とするＫＣl １mol溶液を測定対象試料として差し込むことで、
酸化還元電位測定装置の測定動作の校正及び性能チェックに活用できるようにし、
請求項１又は２に記載のＯＲＰ数値化判定装置で、
測定値の再現精度を比較検証することを特徴とする使用方法。
【請求項９】
測定対象試料とする綿棒に精製水（純水）を含浸させたＯＲＰ値（ｍＶ）の測定と、
同じく綿棒に精製水（純水）を含浸させ、測定場所の空気を所定時間
触れさせた状態での前記測定対象試料とした、
酸化還元電位（ＯＲＰ）値（ｍＶ）との測定値差および経時変化の値差を
同時に測定し、比較するのであり、
前記ＯＲＰ数値化判定装置に設けられた前記試料槽部に、
前記測定対象試料を、それぞれ差し込むことで、
請求項１に記載の数値化判定装置で、
測定値を比較検証することを特徴とする使用方法。
【請求項１０】
測定対象試料とする綿棒に精製水（純水）を含浸させたＯＲＰ値（ｍＶ）の測定と、
同じく綿棒に精製水（純水）を含浸させ、測定場所の土壌を所定時間
触れさせた状態での前記測定対象試料とした、
酸化還元電位（ＯＲＰ）値（ｍＶ）との測定値差および経時変化の値差を
同時に測定し、比較するのであり、
酸化還元電位測定装置に設けられた前記試料槽部に、
前記測定対象試料を、それぞれ差し込むことで、
請求項１に記載の数値化判定装置で、
測定値を比較検証することを特徴とする使用方法。